(57)【要約】【課題】装置上部に設けられた第１の開閉体としての供給口カバー３と、第２の開閉体としての画像読取機構の干渉を簡単な構成で回避することができる記録装置を提供する。【解決手段】プリンター１は、記録ヘッド１０を内部に備える筐体２と、筐体２の上部の装置後方に設けられる媒体供給口９と、媒体供給口９を覆う第１状態と、第１状態よりも媒体供給口９を開放する第２状態と、の間で回動する供給口カバー３と、筐体２の上部における媒体供給口９以外の部分を覆う第３状態と、第３状態よりも筐体２の上部から離れた第４状態と、の間で供給口カバー３と同じ方向に回動する画像読取機構４と、画像読取機構４の第３状態から第４状態への回動に連動して、供給口カバー３を装置後方にスライド移動させる移動機構２５とを備える。【選択図】図８
2019214434.tif 000002
【特許請求の範囲】
【請求項１】
搬送される媒体に記録を行う記録部を内部に備える筐体と、
前記記録部に対して媒体搬送方向の下流側を装置前方、上流側を装置後方とした場合に、前記筐体の上部の装置後方に設けられ、前記記録部に向けて前記媒体を供給可能な媒体供給口と、
前記媒体供給口に対して装置後方に位置する第１の回動軸を軸により、前記媒体供給口を覆う第１状態と、前記第１状態よりも前記媒体供給口を開放する第２状態と、の間で回動する第１の開閉体と、
前記第１の回動軸に対して装置前方に位置する第２の回動軸を軸により、前記筐体の上部における前記媒体供給口以外の少なくとも一部を覆う第３状態と、前記第３状態よりも前記上部から離れた第４状態と、の間で前記第１の開閉体と同じ方向に回動する第２の開閉体と、
前記第２の開閉体の前記第３状態から前記第４状態への回動に連動して、前記第１の回動軸を上方または装置後方の一方向にスライド移動させる移動機構と、を備える、
ことを特徴とする記録装置。
【請求項２】
請求項１に記載の記録装置において、
前記移動機構は、前記第１の回動軸が設けられるとともに、第１位置と、前記第１位置に対して装置後方にある第２位置と、の間で変位可能な変位部材を備え、
前記変位部材は、
前記第１の開閉体が前記第１状態、且つ、前記第２の開閉体が前記第３状態である場合に、前記第１位置に位置し、
前記第２の開閉体が前記第３状態から前記第４状態に向けて回動する場合に、前記第１の開閉体が前記第２の開閉体から受ける外力によって、前記第１位置から前記第２位置に向けて変位可能に構成されている、
ことを特徴とする記録装置。
【請求項３】
請求項１に記載の記録装置において、
前記移動機構は、
第１位置と、前記第１位置に対して装置後方にある第２位置と、の間で変位可能な変位部材と、
前記第２の開閉体の前記第３状態から前記第４状態への回動を、装置後方への移動力に変えて前記変位部材に伝えるカム部材と、を備え、
前記変位部材は、
前記第１の開閉体が前記第１状態、且つ、前記第２の開閉体が前記第３状態である場合に、前記第１位置に位置し、
前記第２の開閉体が前記第３状態から前記第４状態に向けて回動する場合に、前記第１の開閉体に接触するとともに、前記カム部材を介して受ける前記移動力により前記第２位置に向けて変位する構成である、
ことを特徴とする記録装置。
【請求項４】
請求項１に記載の記録装置において、
前記移動機構は、
第１位置と、前記第１位置に対して上方にある第２位置と、の間で変位可能な変位部材と、
前記第２の開閉体の前記第３状態から前記第４状態への回動を、装置上方への移動力に変えて前記変位部材に伝えるカム部材と、を備え、
前記変位部材は、
前記第１の開閉体が前記第１状態、且つ、前記第２の開閉体が前記第３状態である場合に、前記第１位置に位置し、
前記第２の開閉体が前記第３状態から前記第４状態に向けて回動する場合に、前記第１の開閉体に接触するとともに、前記カム部材を介して受ける前記移動力により前記第２位置に向けて変位する構成である、
ことを特徴とする記録装置。
【請求項５】
請求項２から請求項４のいずれか一項に記載の記録装置において、
前記変位部材は、前記第２位置から前記第１位置に向けて押圧されている、
ことを特徴とする記録装置。
【請求項６】
請求項５に記載の記録装置において、
前記変位部材と、前記筐体内部に固定される固定部材と、の間に設けられ、前記変位部材を前記第２位置側から前記第１位置側に向けて引っ張るばね部材を備える、
ことを特徴とする記録装置。
【請求項７】
請求項１から請求項６のいずれか一項に記載の記録装置において、
前記第１の開閉体は、前記第２の開閉体の回動とは独立して前記第１状態と前記第２状態との間で回動可能であり、
前記第２状態において、前記媒体供給口にセットされる媒体を支持する媒体支持部として機能する、
ことを特徴とする記録装置。
【請求項８】
請求項１から請求項７のいずれか一項に記載の記録装置において、
前記第２の開閉体は、原稿の画像を読み取る画像読取機構である、
ことを特徴とする記録装置。
【請求項９】
請求項１から請求項７のいずれか一項に記載の記録装置において、
前記第２の開閉体は、原稿の画像を読み取る画像読取機構の原稿台を開閉する原稿カバーである、
ことを特徴とする記録装置。
【発明の詳細な説明】
【技術分野】
【０００１】
本発明は、媒体に記録を行う記録装置に関するものである。
【背景技術】
【０００２】
媒体に記録を行う記録装置には、装置本体内部の記録部に向けて媒体を供給するための給紙口を装置本体の後方上部に備えるとともに、前記給紙口を開閉するように回動する第１の開閉体と、前記給紙口を避けた装置本体の上部を開閉するように回動する第２の開閉体と、を備えるものがある。  
例えば、特許文献１には、第１の開閉体としてのトレイカバー８１と、第２の開閉体としての原稿カバー１７と、を備える記録装置としての複合機１０が開示されている。
【先行技術文献】
【特許文献】
【０００３】
【特許文献１】特開２０１５−０６７４０１号公報
【発明の概要】
【発明が解決しようとする課題】
【０００４】
ここで、装置小型化や装置外観を良好にするという観点からは、第１の開閉体と第２の開閉体とは、隙間なく配設することが望ましい。  
特許文献１に記載の記録装置のように、装置後方に位置する第１の開閉体と、装置前方に位置する第２の開閉体が同じ方向に開く場合、第１の開閉体と第２の開閉体の間に所定の隙間がないと、前方の第２の開閉体を開く際に、後方の第１の開閉体に当たって干渉してしまう。
【０００５】
このような開閉体同士の干渉を抑制するため、特許文献１に記載の記録装置には、第２の開閉体の回動動作に連動させて、第１の開閉体を回動させるリンク機構が設けられている。特許文献１におけるリンク機構としての連動機構９０は第１の開閉体を回動させる必要があることから構成が複雑であり、部品点数が多く、製品のコストアップに繋がる。
【０００６】
上記問題に鑑み、本発明の目的は、装置上部に設けられた第１の開閉体と第２の開閉体との干渉を簡単な構成で回避することができる記録装置を提供することにある。
【課題を解決するための手段】
【０００７】
上記課題を解決する為の、本発明の第１の態様に係る記録装置は、搬送される媒体に記録を行う記録部を内部に備える筐体と、前記記録部に対して媒体搬送方向の下流側を装置前方、上流側を装置後方とした場合に、前記筐体の上部の装置後方に設けられ、前記記録部に向けて前記媒体を供給可能な媒体供給口と、前記媒体供給口に対して装置後方に位置する第１の回動軸により、前記媒体供給口を覆う第１状態と、前記第１状態よりも前記媒体供給口を開放する第２状態と、の間で回動する第１の開閉体と、前記第１の回動軸に対して装置前方に位置する第２の回動軸により、前記筐体の上部における前記媒体供給口以外の少なくとも一部を覆う第３状態と、前記第３状態よりも前記上部から離れた第４状態と、の間で前記第１の開閉体と同じ方向に回動する第２の開閉体と、前記第２の開閉体の前記第３状態から前記第４状態への回動に連動して、前記第１の回動軸を上方または装置後方の一方向にスライド移動させる移動機構と、を備える、ことを特徴とする。
【０００８】
回動する前記第２の開閉体と、前記第１の開閉体との干渉は、前記第１の開閉体を開かなくても、前記第１の開閉体が干渉しない位置に前記第１の開閉体を少しずらせば回避できる。  
前記第２の開閉体の前記第３状態から前記第４状態への回動に連動して、前記第２の開閉体と前記第１の開閉体との干渉を避ける程度に前記第１の回動軸を上方または装置後方の一方向にスライド移動させる移動機構は、構成簡単に実現できる。  
本態様によれば、簡単な構成の前記移動機構によって前記第２の開閉体と前記第１の開閉体との干渉を避けることができ、以って、記録装置を低コストで製造することができる。
【０００９】
本発明の第２の態様は、第１の態様において、前記移動機構は、前記第１の回動軸が設けられるとともに、第１位置と、前記第１位置に対して装置後方にある第２位置と、の間で変位可能な変位部材を備え、前記変位部材は、前記第１の開閉体が前記第１状態、且つ、前記第２の開閉体が前記第３状態である場合に、前記第１位置に位置し、前記第２の開閉体が前記第３状態から前記第４状態に向けて回動する場合に、前記第１の開閉体が前記第２の開閉体から受ける外力によって、前記第１位置から前記第２位置に向けて変位可能に構成されている、ことを特徴とする。  
本態様によれば、構成簡単にして前記移動機構を形成することができる。
【００１０】
本発明の第３の態様は、第１の態様において、前記移動機構は、第１位置と、前記第１位置に対して装置後方にある第２位置と、の間で変位可能な変位部材と、前記第２の開閉体の前記第３状態から前記第４状態への回動を、装置後方への移動力に変えて前記変位部材に伝えるカム部材と、を備え、前記変位部材は、前記第１の開閉体が前記第１状態、且つ、前記第２の開閉体が前記第３状態である場合に、前記第１位置に位置し、前記第２の開閉体が前記第３状態から前記第４状態に向けて回動する場合に、前記第１の開閉体に接触するとともに、前記カム部材を介して受ける前記移動力により前記第２位置に向けて変位する構成である、ことを特徴とする記録装置。  
本態様によれば、構成簡単にして前記移動機構を形成することができる。
【００１１】
本発明の第４の態様は、第１の態様において、前記移動機構は、第１位置と、前記第１位置に対して上方にある第２位置と、の間で変位可能な変位部材と、前記第２の開閉体の前記第３状態から前記第４状態への回動を、装置上方への移動力に変えて前記変位部材に伝えるカム部材と、を備え、前記変位部材は、前記第１の開閉体が前記第１状態、且つ、前記第２の開閉体が前記第３状態である場合に、前記第１位置に位置し、前記第２の開閉体が前記第３状態から前記第４状態に向けて回動する場合に、前記第１の開閉体に接触するとともに、前記カム部材を介して受ける前記移動力により前記第２位置に向けて変位する構成である、ことを特徴とする。  
本態様によれば、構成簡単にして前記移動機構を形成することができる。
【００１２】
本発明の第５の態様は、第２の態様から第４の態様のいずれかにおいて、前記変位部材は、前記第２位置から前記第１位置に向けて押圧されている、ことを特徴とする。
【００１３】
本態様によれば、前記変位部材は、前記第２位置から前記第１位置に向けて押圧されているので、前記第２の開閉体を前記第４状態から前記第３状態にした場合に、前記変位部材が前記第１位置に自動で戻る構成とすることができる。
【００１４】
本発明の第６の態様は、第５の態様において、前記変位部材と、前記筐体内部に固定される固定部材と、の間に設けられ、前記変位部材を前記第２位置側から第１位置側に向けて引っ張るばね部材を備える、ことを特徴とする。
【００１５】
本態様によれば、変位部材が、前記第２位置から前記第１位置に向けて押圧される構成を容易に実現できる。
【００１６】
本発明の第７の態様は、第１の態様から第６の態様のいずれかにおいて、前記第１の開閉体は、前記第２の開閉体の回動とは独立して前記第１状態と前記第２状態との間で回動可能であり、前記第２状態において、前記媒体供給口にセットされる媒体を支持する媒体支持部として機能する、ことを特徴とする。
【００１７】
本態様によれば、前記第１の開閉体が、前記第２の開閉体の回動とは独立して前記第１状態と前記第２状態との間で回動可能であり、前記第２状態において、前記媒体供給口にセットされる媒体を支持する媒体支持部として機能する記録装置において、第１の態様から第６の態様のいずれかと同様の作用効果が得られる。
【００１８】
本発明の第８の態様は、第１の態様から第７の態様のいずれかにおいて、前記第２の開閉体は、原稿の画像を読み取る画像読取機構である、ことを特徴とする。
【００１９】
本態様によれば、前記第２の開閉体が、原稿の画像を読み取る画像読取機構である記録装置において、第１の態様から第７の態様のいずれかと同様の作用効果が得られる。
【００２０】
本発明の第９の態様は、第１の態様から第８の態様のいずれかにおいて、前記第２の開閉体は、原稿の画像を読み取る画像読取機構の原稿台を開閉する原稿カバーである、ことを特徴とする。
【００２１】
本態様によれば、前記第２の開閉体が、原稿の画像を読み取る画像読取機構の原稿台を開閉する原稿カバーである記録装置において、第１の態様から第７の態様のいずれかと同様の作用効果が得られる。
【図面の簡単な説明】
【００２２】
【図１】本発明に係るプリンターの外観斜視図。
【図２】本発明に係るプリンターにおいて供給口カバー及び前面カバーを開いた状態を示す斜視図。
【図３】プリンターの媒体搬送経路を示す図１のＡ−Ａ矢視断面図。
【図４】本発明に係るプリンターにおいて画像読取機構の原稿台カバーを開いた状態を示す斜視図。
【図５】本発明に係るプリンターにおいて筐体に対して画像読取機構を開いた状態を示す斜視図。
【図６】図２のプリンターの供給口カバー周辺を別角度から見た斜視図。
【図７】変位部材の斜視図。
【図８】図１のＢ−Ｂ矢視断面の斜視図であり、画像読取機構が第３状態であり、供給口カバーが第１状態である状態を示す図。
【図９】図６のＣ−Ｃ矢視断面の斜視図。
【図１０】画像読取機構が第４状態であり、供給口カバーが第２状態である状態を示す斜視断面図。
【図１１】画像読取機構が第３状態であり、供給口カバーが第１状態である状態を示す側断面図。
【図１２】画像読取機構が第４状態であり、供給口カバーが第２状態である状態を示す側断面図。
【図１３】原稿台カバーを開いたまま画像読取機構を第４状態にした状態を示す側断面図。
【図１４】第２実施形態に係るプリンターにおいて、原稿台カバーを閉じた状態を示す要部側断面図。
【図１５】第２実施形態に係るプリンターにおいて、原稿台カバーを開いた状態を示す要部側断面図。
【図１６】第３実施形態に係るプリンターにおいて、原稿台カバーを閉じた状態を示す要部側断面図。
【図１７】第３実施形態に係るプリンターにおいて、原稿台カバーを開いた状態を示す要部側断面図。
【図１８】原稿台カバーと供給口カバーとの干渉を避ける他の構成について説明する図。
【図１９】原稿台カバーと供給口カバーとの干渉を避ける他の構成について説明する図。
【図２０】原稿台カバーと供給口カバーとの干渉を避ける他の構成について説明する図。
【発明を実施するための形態】
【００２３】
［第１実施形態］
以下、図を参照して、本発明の一実施形態に係る記録装置の概略について説明する。本実施形態において、記録装置の一例としてインクジェットプリンター１（以下、単にプリンター１と称する）を挙げる。  
尚、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ側を装置前方とし、−Ｙ側を装置後方とする。また、装置前面側から見て左側を＋Ｘ側、右側を−Ｘ側とする。また、＋Ｚ方向を装置上方（上部、上面等を含む）とし、−Ｚ方向側を装置下方（下部、下面等を含む）とする。  
また、プリンター１において用紙が搬送されていく搬送方向（＋Ｙ側）を「下流」といい、これと反対の方向（−Ｙ側）を「上流」という。
【００２４】
■■■プリンターの概要■■■
図１に示すプリンター１は、搬送される媒体に記録を行う「記録部」としての記録ヘッド１０（図３）を内部に備える筐体２と、筐体２の上部に設けられ、原稿の画像を読み取る画像読取機構４を備えている。即ちプリンター１は、記録機能に加えてスキャナー機能を備える複合機として構成されている。  
プリンター１において、記録が行われる媒体としては、例えば、普通紙の他、普通紙よりも厚いハガキや名刺等の厚紙、普通紙よりも薄い薄紙、写真用の光沢紙等の用紙が挙げられる。
【００２５】
プリンター１において、装置前方の側面（前面）には、筐体２に対して開閉可能な前面カバー７ａ、７ｂが設けられている。前面カバー７ａ、７ｂを図２のように開くことにより、記録前の媒体を収容する媒体トレイ１１と、記録後に排出される媒体を受ける排出トレイ１２が露呈する様に構成されている。  
前面カバー７ａには、各種印刷設定・記録実行を行う操作や、印刷設定内容や印刷画像のプレビュー表示などを行う操作パネル６が設けられている。
【００２６】
排出トレイ１２は、筐体２に収納された収納状態（図１）と、筐体２の前方側に突出した突出状態（図２）と、を切換可能に構成することができ、筐体２の前方側に突出した図２の状態となることで、記録が行われて排出される媒体を受けることができる。  
排出トレイ１２は、不図示のモーターによって収納状態と突出状態とを切り換え可能に構成されている。
【００２７】
図２に示す媒体トレイ１１は、複数枚の媒体を収容可能であり、筐体２に対して着脱可能となっている。装着されている媒体トレイ１１から媒体を記録ヘッド１０に向けて送り出すことができる様になっている。  
尚、プリンター１における媒体搬送経路については後で説明する。
【００２８】
筐体２の上部には、図２に示すように、記録ヘッド１０（図３）に向けて前記媒体を供給可能な媒体供給口９が設けられている。媒体供給口９は、記録ヘッド１０に対して媒体搬送方向の下流側（＋Ｙ側）を装置前方、上流側（−Ｙ側）を装置後方とした場合に、筐体２の上部の装置後方に設けられている。
【００２９】
媒体供給口９は、「第１の開閉体」としての供給口カバー３によって覆うことができる。媒体供給口９は、媒体供給口９に対して装置後方（−Ｙ側）に位置する第１の回動軸１３により、図１に示すように媒体供給口９を覆う第１状態と、第１状態（図１）よりも媒体供給口９を開放する第２状態（一例として図２）と、の間で回動する。  
この供給口カバー３を図２のように開くことにより、媒体供給口９を利用した記録ヘッド１０への媒体の給紙が行える様になっている。  
尚、第２状態は、第１状態よりも媒体供給口９を開いている状態を言い、完全に開いた図２のような状態の他、例えば、図１０及び図１２のように、第１状態よりも少し開いた状態も含むものとする。  
供給口カバー３は、後述する変位部材３０を介して筐体２に取り付けられている。変位部材３０については、後に詳しく説明する。
【００３０】
供給口カバー３は、図２に示す第２状態において、媒体供給口９にセットされる媒体を支持する「媒体支持部」として機能する。このことにより、媒体供給口９からの媒体Ｐの安定した供給を行うことができる。
【００３１】
また、プリンター１において、画像読取機構４は、筐体２の上部に対して回動可能に設けられている。すなわち、画像読取機構４は、プリンター１における「第２の開閉体」である。画像読取機構４は、第１の回動軸１３に対して装置前方（＋Ｙ側）に位置する第２の回動軸１４により、筐体２の上部における媒体供給口９以外の部分を覆う第３状態（図１）と、第３状態よりも上部から離れた第４状態（図５）と、の間で供給口カバー３と同じ方向に回動する。つまり、図６に示すように、第１の回動軸１３の回動軸線Ｓ１と第２の回動軸１４の回動軸線Ｓ２は平行に配置されている。  
尚、第４状態は、第３状態よりも筐体２から離れて開いている状態を言い、図５のように完全に開いた状態の他、完全に開くまでの間の状態も含むものとする。  
また、本実施形態において「第２の開閉体」としての画像読取機構４は、筐体２の上部における媒体供給口９以外の全体を覆うが、「第２の開閉体」は、第３状態において、筐体２の上部における媒体供給口９以外の少なくとも一部を覆う構成部でもよい。
【００３２】
画像読取機構４の第２の回動軸１４について更に詳しく説明する。  
画像読取機構４は、媒体供給口９のＸ軸方向の両側に設けられた連結部２４（図２、図６）において、筐体２に対して回動可能に連結されている。連結部２４には、図６に示すように、それぞれに第２の回動軸１４が設けられており、筐体２側に設けられる不図示の軸受けに第２の回動軸１４が軸支されて、筐体２の上部を開閉するように画像読取機構４が回動する様になっている。
【００３３】
画像読取機構４は、図４に示すように、内部に読取部４２（図３）を備える装置本体４０と、装置本体４０の上部に設けられる原稿台４１を開閉可能な原稿台カバー５を備えている。原稿台カバー５を図４のように開くと、原稿台４１が露呈する。原稿は、読み取り面を原稿台４１と対向させるように原稿台４１に載置される。  
原稿台カバー５は、図３に示すように、供給口カバー３の自由端である先端３ｂのすぐ前方（＋Ｙ側）に回動軸１５を有している。尚、本実施形態において、供給口カバー３の先端３ｂと、原稿台カバー５の後端５ａとは近接して設けられているが、原稿台カバー５を図４のように開く際に、供給口カバー３の先端３ｂは原稿台カバー５の後端５ａと干渉しない程度に間隔を空けて設けられている。
【００３４】
画像読取機構４は、第３状態（図１）の場合に、装置本体４０が筐体２内に入り込み、原稿台カバー５の上面が供給口カバー３の上面と面一になるように設けられている。  
尚、筐体２の両側面には、図５に示すように、切欠き部８が設けられており、図１のように画像読取機構４が閉じた第３状態の場合に、切欠き部８から装置本体４０の側面４３が露呈するように構成されている。このことによって、ユーザーが側面４３に手を掛けて画像読取機構４を第４状態に向けて開くことができる。
【００３５】
ところで、前述したように、供給口カバー３の先端３ｂと、原稿台カバー５の後端５ａとが近接して設けられていると、供給口カバー３と原稿台カバー５との一体感がある外観となり、見た目が良好になる。しかし、画像読取機構４を、図５に示す第４状態に向けて開く場合には、画像読取機構４の後端でもある原稿台カバー５の後端５ａが、供給口カバー３に干渉して開けない場合がある。  
供給口カバー３の先端３ｂと、原稿台カバー５の後端５ａとの間の間隔を広くすれば、上記干渉の問題は回避できるが、供給口カバー３と原稿台カバー５との一体感に基づく美観が得られ難くなり、装置も大型化する。
【００３６】
ここで、画像読取機構４（第２の開閉体）を開く際の供給口カバー３（第１の開閉体）への干渉を抑制するため、プリンター１は、画像読取機構４の第３状態（図１）から第４状態（図５）への回動に連動して、第１の回動軸１３を上方または装置後方の一方向にスライド移動させる移動機構２５（図６）を備えている。  
本実施形態の移動機構２５は、供給口カバー３の第１の回動軸１３を装置後方、つまり、−Ｙ方向にスライド移動させる。
【００３７】
移動機構２５によって、画像読取機構４の第３状態（図１）から第４状態（図５）への回動に連動して、供給口カバー３の第１の回動軸１３を−Ｙ方向にスライド移動させることができるので、画像読取機構４を開く際に、画像読取機構４が供給口カバー３に干渉するのを抑制することができる。移動機構２５は、以下に説明するような簡単な構成により実現できる。
【００３８】
■■■移動機構について■■■
図８〜図１５に示す本実施形態に係る移動機構２５は、第１の回動軸１３が設けられるとともに、第１位置Ｄ１（図１１）と、第１位置Ｄ１に対して装置後方（−Ｙ側）にある第２位置Ｄ２（図１２）と、の間で変位可能な変位部材３０（図７も参照）を備え、変位部材３０は、図１のように、供給口カバー３（第１の開閉体）が第１状態、且つ、画像読取機構４（第２の開閉体）が第３状態である場合に、図１１のように第１位置Ｄ１に位置し、画像読取機構４（第２の開閉体）が図１の第３状態から図５の第４状態に向けて回動する場合に、供給口カバー３（第１の開閉体）が画像読取機構４（第２の開閉体）から受ける外力によって、第１位置Ｄ１（図１１）から第２位置Ｄ２（図１２）に向けて変位可能に構成されている。  
尚、図１１または図１２において、符号Ｄ１または符号Ｄ２が指す位置は、それぞれ、第１位置Ｄ１、第２位置Ｄ２における変位部材３０に設けられる第１の回動軸１３の位置を示している。
【００３９】
移動機構２５について、より具体的に説明する。  
前述した様に、供給口カバー３は、変位部材３０を介して筐体２に取り付けられている。  
図７に変位部材３０の単体の斜視図を示す。変位部材３０は、第１の回動軸１３を備えている。変位部材３０に第１の回動軸１３が、供給口カバー３に設けられる軸受け３ａ（図９）に取り付けられて、供給口カバー３が変位部材３０に対して回動可能になる。そして、変位部材３０が筐体２に取り付けられて、供給口カバー３が媒体供給口９を開閉するように筐体２に取り付けられる。
【００４０】
変位部材３０は、図７に示すように、装置幅方向（Ｘ軸方向）の両側に、ガイド部３２を備えている。筐体２の内部には、ガイド溝３３（図９）が設けられており、ガイド部３２（図７）がガイド溝３３に嵌合可能して筐体２に取り付けられるとともに、ガイド部３２がガイド溝３３に沿ってガイドされることにより、変位部材３０がＹ軸方向にスライド可能になっている。
【００４１】
変位部材３０は、図１のように、供給口カバー３が第１状態、且つ、画像読取機構４が第３状態である場合、すなわち、供給口カバー３及び画像読取機構４の双方が筐体２に対して閉じた状態である場合に、図９及び図１１のように、装置前方（＋Ｙ側）にある第１位置に位置する。尚、変位部材３０が第１位置Ｄ１に位置するとき、第１の回動軸１３は、図１１に示すように、装置前後方向（Ｙ軸方向）において筐体２の内側に位置している。
【００４２】
画像読取機構４（第２の開閉体）が図１の第３状態から図５の第４状態に向けて回動する場合、すなわち、画像読取機構４が開かれる場合、画像読取機構４の後端５ａ（原稿台カバー５の後端５ａ）と供給口カバー３の先端３ｂが近接しているので、そのままでは後端５ａが先端３ｂに接触する。しかし、供給口カバー３の第１の回動軸１３は、変位部材３０に設けられているので、後端５ａが先端３ｂに接触した後、画像読取機構４が更に開かれて供給口カバー３に−Ｙ方向成分を含む外力が掛かった際に、第１の回動軸１３を含む供給口カバー３全体が−Ｙ方向に退避することができる。変位部材３０が第２位置Ｄ２に位置するとき、第１の回動軸１３は、図１２に示すように、装置前後方向（Ｙ軸方向）において筐体２の外側に位置している。
【００４３】
図１０及び図１２に示すように、変位部材３０が第２位置Ｄ２に移動して第１の回動軸１３は−Ｙ方向に移動すると、画像読取機構４の後端５ａの供給口カバー３の先端３ｂへの干渉をすることができ、画像読取機構４を円滑に開くことができる。尚、供給口カバー３は、高さ方向（Ｚ軸方向）において画像読取機構４の一部である連結部２４（図２及び図６）と重なっているので、画像読取機構４が開く方向に回動すると、供給口カバー３も画像読取機構４に押し上げられて開く方向に回動する。
【００４４】
移動機構２５が以上のように構成されていることにより、画像読取機構４の第３状態（図１）から第４状態（図５）への回動に連動して、供給口カバー３を装置後方にスライド移動させる機構を構成簡単、且つ、低コストで形成することができる。
【００４５】
尚、図４に示すように原稿台カバー５を開いたまま、画像読取機構４を開くこともできる。この場合も、図１３に示すように、後端５ａが供給口カバー３の先端３ｂに接触し、画像読取機構４の第４状態への回動により、供給口カバー３に−Ｙ方向成分を含む外力が掛かる。そして、変位部材３０が第２位置Ｄ２に向かう−Ｙ方向に移動する。
【００４６】
続いて、移動機構２５の他の構成について説明する。  
筐体２に取り付けられた変位部材３０は、第２位置Ｄ２から第１位置Ｄ１に向けて押圧されている。より具体的には、図８に示すように、変位部材３０のばね掛け部３１と、筐体２内部に固定される「固定部材」としての筐体側ばね掛け部３５と、の間に設けられ、変位部材３０を第２位置Ｄ２側から第１位置Ｄ１側に向けて引っ張る「ばね部材」としての引っ張りばね３４を備えている。
【００４７】
変位部材３０が、第２位置Ｄ２から第１位置Ｄ１に向けて押圧されている（引っ張られている）と、画像読取機構４（第２の開閉体）を第４状態（図５、図１０、及び図１２）から第３状態（図１、図９、及び図１１）にした場合に、変位部材３０が第２位置から第１位置Ｄ１に自動で戻る。したがって、供給口カバー３（第１の開閉体）も自動で、第２状態（例えば、図５、図１０、及び図１２）から第１状態（図１、図９、及び図１１）になる。以って、供給口カバー３が開いたままになる虞を低減できる。
【００４８】
変位部材３０を、第２位置Ｄ２から第１位置Ｄ１に向けて押圧する構成は、引っ張りばね３４を用いた上記構成により容易に実現できる。  
尚、例えば、変位部材３０と筐体２の装置後方の内壁との間にコイルばねを設けて、変位部材３０を第２位置Ｄ２から第１位置Ｄ１に向けて押圧する構成とすることも可能である。
【００４９】
尚、供給口カバー３（第１の開閉体）は、図２及び図６に示すように、画像読取機構４（第２の開閉体）の回動とは独立して第１状態（図１）と第２状態（図２）との間で回動可能に構成されている。したがって、媒体供給口９に媒体をセットして記録を行う場合には、供給口カバー３を画像読取機構４の回動に連動させることなく第２状態（図２）にして、媒体を支持する媒体支持部として利用することができる。  
供給口カバー３には、供給口カバー３を図２及び図６に示す開き角度を保持するロック機構を設けることができる。
【００５０】
■■■プリンターにおける媒体搬送経路について■■■
以下において、図３を参照しつつプリンター１における媒体搬送経路について説明する。プリンター１は、媒体を、装置後方の媒体供給口９からの媒体搬送経路Ｔ２と、装置下部に設けられる媒体トレイ１１からの媒体搬送経路Ｔ１と、を備えている。  
まず、媒体トレイ１１からの媒体搬送経路Ｔ１について説明し、その後、媒体供給口９からの媒体搬送経路Ｔ２について説明する。  
尚、図３において、媒体搬送経路Ｔ１は実線で示されており、媒体搬送経路Ｔ２は一点鎖線で示されている。
【００５１】
媒体トレイ１１にセットされた媒体は、第１給送ローラー１６によってピックアップされて媒体搬送経路Ｔ１に送り出される。より具体的には、不図示の駆動源によって回転駆動される第１給送ローラー１６は、揺動軸２８ａを中心に揺動するローラー支持部材２８に設けられており、媒体トレイ１１に収容された媒体の最上位のものと接して回転することにより、その最上位の媒体を媒体トレイ１１から装置後方側（−Ｙ側）に送り出す。
【００５２】
第１給送ローラー１６の下流側には、不図示の駆動源によって回転駆動される中間ローラー１７が設けられており、この中間ローラー１７によって媒体は湾曲反転させられ、装置前方側（＋Ｙ側）へと送られる。尚、符号１８ａ、１８ｂ、１８ｃは従動回転可能な従動ローラーであり、媒体は、従動ローラー１８ａと中間ローラー１７とによってニップされ、また従動ローラー１８ｂと中間ローラー１７とによってニップされて、下流側へと送られる。従動ローラー１８ｃについては後で説明する。
【００５３】
中間ローラー１７の下流側には、搬送ローラー対２１が設けられており、搬送ローラー対２１によって媒体が記録ヘッド１０の下方へと送られる。搬送ローラー対２１は、不図示の駆動源により回転駆動される駆動ローラー（図３において下側のローラー）と、駆動ローラーに従動回転する従動ローラー（図３において上側のローラー）とを備えている。
【００５４】
続いて液体としてのインクを吐出する記録ヘッド１０は、キャリッジ２０の底部に設けられている。キャリッジ２０は図示しない駆動源によって装置幅方向（Ｘ軸方向）に往復移動可能に構成されている。  
記録ヘッド１０と対向する位置には、搬送される媒体を支持する媒体支持部材２３が設けられ、媒体支持部材２３によって、媒体と記録ヘッド１０との間の間隔（ギャップ）が規定される。
【００５５】
媒体支持部材２３の下流側には排出ローラー対２２が設けられている。排出ローラー対２２も、搬送ローラー対２１と同様に駆動ローラーと従動ローラーを備えて構成されている。記録ヘッド１０によって記録が行われた媒体は、排出ローラー対２２により、前述した突出状態の排出トレイ１２（図２）に向けて排出される。
【００５６】
尚、媒体の両面に記録を行う場合には、第１面を記録ヘッド１０で記録した後、媒体をスイッチバックさせる。スイッチバックされた媒体は、従動ローラー１８ｃと中間ローラー１７とによってニップされて、媒体搬送経路Ｔ１に合流させることができる。このことによって、第１面の裏面である第２面を記録ヘッド１０側に向けて記録ヘッド１０の下方に送り、第２面への記録を行うことができる。
【００５７】
次に、媒体供給口９からの媒体搬送経路Ｔ２について説明する。  
媒体供給口９から挿入されて、媒体セット部１９にセットされた用紙は、最上位の用紙が第２給送ローラー２６によってピックアップされて下流側に送られる。第２給送ローラー２６と対向する位置（下側）には、第２給送ローラー２６との間で媒体をニップして分離する分離ローラー２７が設けられている。  
媒体搬送経路Ｔ２は、搬送ローラー対２１の上流側で媒体搬送経路Ｔ１に合流しており、これ以降下流側においては、媒体トレイ１１から給送された媒体と同様に、搬送ローラー対２１によって搬送され、記録ヘッド１０による記録が行われた後に、排出ローラー対２２により排出トレイ１２へ向けて排出される。
【００５８】
［第２実施形態］
第２実施形態では、図１４及び図１５を参照して、移動機構の他の例について説明する。尚、本実施形態以降の実施形態において、第１実施形態と同様の構成については同じ符号を付し、その説明を省略する。  
本実施形態において、「第２の開閉体」は、原稿の画像を読み取る画像読取機構４の原稿台４１を開閉する原稿台カバー５である。
【００５９】
原稿台カバー５は、図１のように、筐体２の上部における媒体供給口９以外の部分を覆う第３状態と、図４に示すように、第３状態よりも上部から離れた第４状態とをとる。  
本実施形態においても、第４状態は、第３状態よりも筐体２から離れて開いている状態を言い、図４のように完全に開いた状態の他、図１５のように、完全に開くまでの間の状態も含むものとする。
【００６０】
本実施形態に係る移動機構５０は、原稿台カバー５（第２の開閉体）の第３状態（図１、図１４）から第４状態（図４、図１５）への回動に連動して、第１の回動軸１３を装置後方の一方向にスライド移動させる構成である。  
移動機構５０は、図１４及び図１５に示すように、変位部材５１とカム部材５２とを備えて構成されている。変位部材５１は、第１位置Ｅ１（図１４）と、第１位置Ｅ１に対して装置後方にある第２位置Ｅ２（図１５）と、の間で変位可能に構成されている。尚、符号Ｅ１及び符号Ｅ２が指す位置は、それぞれ、第１位置Ｅ１と第２位置Ｅ２における変位部材５１の−Ｙ側の端部５１ｂの位置を示している。
【００６１】
カム部材５２は、原稿台カバー５の第３状態（図１４）から第４状態（図１５）への回動を、装置後方への移動力に変えて変位部材５１に伝える。具体的には、カム部材５２は、変位部材５１の変位方向（Ｙ軸方向）と交差するＸ軸方向に沿う方向が回動軸線となる回転軸５３を軸として回転する回転体として形成されている。  
カム部材５２は、回転したときに、一端側が原稿台カバー５の後端側（−Ｙ側）に設けられる当接部５５に接触可能に配置されており、回転軸５３を挟んで他端側が変位部材５１の装置前方（＋Ｙ方向）の端部５１ａに接触可能に配置されている。
【００６２】
図１５に示すように、原稿台カバー５が第３状態から第４状態に回動すると、当接部５５に押されてカム部材５２が図を平面視して反時計回りに回転する。そして、カム部材５２の回転により、変位部材５１が第１位置Ｅ１から装置後方（−Ｙ方向）の第２位置Ｅ２に変位する。このとき、変位部材５１の装置後方の端部５１ｂが供給口カバー３に接触し、供給口カバー３は変位部材５１と一体に装置後方にスライド移動する。以って、供給口カバー３の第１の回動軸１３を装置後方にスライド移動することができる。  
尚、供給口カバー３は、取付部材５４を介して筐体２に取り付けられており、取付部材５４は、供給口カバー３の装置後方への移動を許容する遊びを有して筐体２に取り付けられている。
【００６３】
以上のように、第１位置Ｅ１と、第１位置Ｅ１に対して装置後方にある第２位置Ｅ２と、の間で変位可能な変位部材５１と、原稿台カバー５（第２の開閉体）の第３状態から第４状態への回動を、装置後方への移動力に変えて変位部材５１に伝えるカム部材５２と、を備え、変位部材５１が、供給口カバー３（第１の開閉体）が第１状態、且つ、原稿台カバー５が第３状態である場合（図１４）に、第１位置Ｅ１に位置し、原稿台カバー５が第３状態から第４状態に向けて回動する場合（図１５）に、供給口カバー３に接触するとともに、カム部材５２を介して受ける移動力により第２位置Ｅ２に向けて変位する構成である移動機構５０によって、原稿台カバー５（第２の開閉体）の第３状態から第４状態への回動に連動して、第１の回動軸１３を装置後方の一方向にスライド移動させる構成を容易に実現できる。
【００６４】
尚、本実施形態においても、変位部材５１は、第２位置Ｅ２（図１５）から第１位置Ｅ１（図１４）に向けて、すなわち、＋Ｙ方向に向けて押圧されている。変位部材５１を＋Ｙ方向に向けて押圧する押圧部材の一例として、変位部材５１と筐体２との間にコイルばね５６が設けられている。
【００６５】
［第３実施形態］
第３実施形態では、図１６及び図１７を参照して、移動機構の他の例について説明する。  
本実施形態においても「第２の開閉体」は、第２実施形態と同様、原稿の画像を読み取る画像読取機構４の原稿台４１を開閉する原稿台カバー５である。
【００６６】
本実施形態に係る移動機構６０は、原稿台カバー５の第３状態（図１、図６）から第４状態（図４、図１７）への回動に連動して、第１の回動軸１３を装置上方（＋Ｚ方向）の一方向にスライド移動させる構成である。  
移動機構６０は、図１６及び図１７に示すように、変位部材６１とカム部材６２とを備えて構成されている。変位部材６１は、第１位置Ｆ１（図１６）と、第１位置Ｆ１に対して装置上方にある第２位置Ｆ２（図１７）と、の間で変位可能に構成されている。尚、符号Ｆ１及び符号Ｆ２が指す位置は、それぞれ、第１位置Ｆ１と第２位置Ｆ２における変位部材６１の上端の位置を示している。
【００６７】
カム部材６２は、原稿台カバー５の第３状態（図１６）から第４状態（図１７）への回動を、装置上方（＋Ｚ方向）への移動力に変えて変位部材６１に伝える。具体的には、カム部材６２は、変位部材６１の変位方向（Ｚ軸方向）と交差するＸ軸方向に沿う方向が回動軸線となる回転軸６３を軸として回転する回転体として形成されている。  
カム部材６２は、回転したときに、一端側が原稿台カバー５の後端側（−Ｙ側）に設けられる当接部６５に接触可能に配置されており、回転軸６３を挟んで他端側が変位部材６１の下方（−Ｚ方向）の端部６１ａに接触可能に配置されている。
【００６８】
図１７に示すように、原稿台カバー５が第３状態から第４状態に回動すると、当接部６５に押されてカム部材６２が図を平面視して反時計回りに回転する。そして、カム部材６２の回転により、変位部材６１が第１位置Ｆ１から装置上方の第２位置Ｆ２に変位する。このとき、変位部材６１の上方の端部６１ｂが供給口カバー３に接触し、供給口カバー３は変位部材６１と一体に上方にスライド移動する。以って、供給口カバー３の第１の回動軸１３を上方にスライド移動することができる。  
尚、供給口カバー３は、取付部材６４を介して筐体２に取り付けられており、取付部材６４は、供給口カバー３の上方への移動を許容する遊びを有して筐体２に取り付けられている。
【００６９】
以上のように、第１位置Ｆ１と、第１位置Ｆ１よりも上方にある第２位置Ｆ２と、の間で変位可能な変位部材６１と、原稿台カバー５（第２の開閉体）の第３状態から第４状態への回動を、上方への移動力に変えて変位部材６１に伝えるカム部材６２と、を備え、変位部材６１が、供給口カバー３（第１の開閉体）が第１状態、且つ、原稿台カバー５が第３状態である場合（図１６）に、第１位置Ｆ１に位置し、原稿台カバー５が第３状態から第４状態に向けて回動する場合（図１７）に、供給口カバー３に接触するとともに、カム部材６２を介して受ける移動力により第２位置Ｆ２に向けて変位する構成である移動機構６０によって、原稿台カバー５（第２の開閉体）の第３状態から第４状態への回動に連動して、第１の回動軸１３を上方の一方向にスライド移動させる構成を容易に実現できる。
【００７０】
尚、本実施形態において、変位部材６１と筐体２の内部との間に引っ張りばね６６が設けられており、変位部材６１は、第２位置Ｆ２（図１７）から第１位置Ｆ１（図１６）に向けて、すなわち、−Ｚ方向に向けて押圧されている。
【００７１】
以上、本発明に係る記録装置の例であるプリンター１について説明したが、本発明は上記実施形態に限定されることなく、特許請求の範囲に記載した発明の範囲内で種々の変形が可能であり、それらも本発明の範囲内に含まれるものであることは言うまでもない。
【００７２】
＜＜＜原稿台カバーと供給口カバーとの干渉を避けることが可能な他の構成＞＞＞
原稿台カバー５と供給口カバー３との干渉は、以下に説明するような構成とすることによって回避することもできる。  
例えば、図１８に示すように、筐体２側に設けられ、原稿台カバー５の回動軸１５を受ける軸受としての軸孔７１を、高さ方向（Ｚ軸方向）に長い長孔に形成する。原稿台カバー５が閉じている状態（図１８において実線で示す原稿台カバー５の状態）では、回動軸１５は軸孔７１の下方に位置するように設けられている。  
軸孔７１が長孔に形成されていると、図１８において点線で示す原稿台カバー５のように、回動軸１５を軸孔７１の上方に位置させつつ原稿台カバー５を開くことができるので、供給口カバー３を閉じたままでも原稿台カバー５と供給口カバー３との干渉を回避することができる。
【００７３】
また、図１９に示すように、筐体２側に設けられ、原稿台カバー５の回動軸１５を受ける軸受である長孔の軸孔７２を、装置前方に向かって上る方向に傾斜させて設けても良い。原稿台カバー５が閉じている状態（図１９において実線で示す原稿台カバー５の状態）では、回動軸１５は軸孔７２の下方、且つ、装置後方（−Ｙ側）に位置するように設けられている。  
軸孔７２が、装置前方に向かって上る方向に傾斜した長孔に形成されていると、図１９において点線で示す原稿台カバー５のように、回動軸１５を軸孔７１の上方、且つ、装置前方（＋Ｙ側）に位置させつつ原稿台カバー５を開くことができるので、供給口カバー３を閉じたままでも原稿台カバー５と供給口カバー３との干渉を回避することができる。
【００７４】
また、図２０に示すような構成とすることもできる。図２０において、供給口カバー３の第１の回動軸１３にはねじりばね７３が設けられており、供給口カバー３は、開く方向に押圧されている。  
供給口カバー３の先端３ｂ側には、フック７４が設けられており、図２０に示すように供給口カバー３が閉じた状態において、原稿台カバー５の係合部７５に係合している。このことによって、開く方向に押圧された供給口カバー３が閉じた状態に保持されている。
【００７５】
原稿台カバー５が開くと、係合部７５も図を平面視して時計回りに回動するため、フック７４が係合部７５から外れる。フック７４が係合部７５から外れると同時に、供給口カバー３はねじりばね７３の押圧力により自動で開き、図２及び図６のように完全に開いた状態となる。原稿台カバー５を少し回動させるだけで供給口カバー３は完全に開いた状態となるので、開く原稿台カバー５が閉じた供給口カバー３に干渉する虞を回避することができる。
【００７６】
また、プリンター１において、供給口カバー３の回動軸である第１の回動軸１３と、画像読取機構４の回動軸である第２の回動軸１４とは、双方とも筐体２に取り付けられているので、画像読取機構４を第３の状態から第４の状態に開く際に、画像読取機構４と供給口カバー３との干渉が生じるが、供給口カバー３の第１の回動軸１３を、例えば、画像読取機構４の連結部２４に取り付けることにより、画像読取機構４が開く際に、画像読取機構４と供給口カバー３とが一体に回動する構成とすることができる。すなわち、画像読取機構４の開閉時に、画像読取機構４と供給口カバー３との相対位置が変わらないので、画像読取機構４の開閉時の画像読取機構４と供給口カバー３との干渉の問題を回避することができる。
【符号の説明】
【００７７】
１…インクジェットプリンター（記録装置）、２…筐体、３…供給口カバー、４…画像読取機構、５…原稿台カバー、６…操作パネル、７ａ、７ｂ…前面カバー、９…媒体供給口、８…切欠き部、９…媒体供給口、１０…記録ヘッド、１１…媒体トレイ、１２…排出トレイ、１３…第１の回動軸、１４…第２の回動軸、１５…回動軸、１６…第１給送ローラー、１７…中間ローラー、１８ａ、１８ｂ、１８ｃ…従動ローラー、１９…媒体セット部、２０…キャリッジ、２１…搬送ローラー対、２２…排出ローラー対、２３…媒体支持部材、２４…連結部、２５…移動機構、２６…第２給送ローラー、２７…分離ローラー、２８…ローラー支持部材、２８ａ…揺動軸、３０…変位部材、３１…ばね掛け部、３２…ガイド部、３３…ガイド溝、３４…引っ張りばね（ばね部材）、３５…筐体側ばね掛け部、４０…装置本体、４１…原稿台、４２…読取部、４３…側面、５０…移動機構、５１…変位部材、５２…カム部材、５３…回転軸、５４…取付部材、５５…当接部、５６…コイルばね、６０…移動機構、６１…変位部材、６２…カム部材、６３…回転軸、６４…取付部材、６５…当接部、６６…引っ張りばね（ばね部材）、７１…軸孔、７２…軸孔、７３…ねじりばね、７４…フック、７５…係合部
【図１】
2019214434.tif 000003
【図２】
2019214434.tif 000004
【図３】
2019214434.tif 000005
【図４】
2019214434.tif 000006
【図５】
2019214434.tif 000007
【図６】
2019214434.tif 000008
【図７】
2019214434.tif 000009
【図８】
2019214434.tif 000010
【図９】
2019214434.tif 000011
【図１０】
2019214434.tif 000012
【図１１】
2019214434.tif 000013
【図１２】
2019214434.tif 000014
【図１３】
2019214434.tif 000015
【図１４】
2019214434.tif 000016
【図１５】
2019214434.tif 000017
【図１６】
2019214434.tif 000018
【図１７】
2019214434.tif 000019
【図１８】
2019214434.tif 000020
【図１９】
2019214434.tif 000021
【図２０】
2019214434.tif 000022